(57)【要約】      （修正有）【課題】マレット型などソール面積が大型のゴルフパターにおいて、クラブの出し入れに邪魔にならないように折曲自在に構成したゴルフパターを提供する。【解決手段】マレット型などソール面積が大型のパター本体Ｐとこのパター本体Ｐに支承するパターシャフトＳを構成する。当該パター本体Ｐ上面のパタートップライン部１にシャフト折畳みロック機構を設ける。当該シャフト折畳みロック機構にて、パターシャフトＳのシャフトネック基端部２を、パター本体Ｐのパターフエース部Ｐ１側に向けて折曲自在に支承する。【選択図】図２
0003175975.tif 000002
【実用新案登録請求の範囲】
【請求項１】
マレット型などソール面積が大型のパター本体（Ｐ）とこのパター本体（Ｐ）に支承するパターシャフト（Ｓ）において、当該パター本体Ｐ上面のパタートップライン部（１）にシャフト折畳みロック機構（３）を設け、当該シャフト折畳みロック機構（３）にて、パターシャフト（Ｓ）のシャフトネック基端部（２）を、パター本体（Ｐ）のパターフエース部（Ｐ１）側に向けて折曲自在に支承したことを特徴とするゴルフパター。
【請求項２】
マレット型などソール面積が大型のパター本体（Ｐ）とこのパター本体（Ｐ）に支承するパターシャフト（Ｓ）において、当該パター本体（Ｐ）上面のパタートップライン部（１）にシャフト折畳みロック機構（３）を設け、当該シャフト折畳みロック機構（３）にて、パターシャフト（Ｓ）のシャフトネック基端部（２）を、パター本体（Ｐ）のパターバックフエース部（Ｐ２）側に向けて折曲自在に支承したことを特徴とするゴルフパター。
【請求項３】
前記シャフト折畳みロック機構（３）は、前記シャフトネック基端部（２）に連結する断面溝形状の断面溝形の固定アーム（４）と、固定アーム４の下部に設けられ、前記シャフト（Ｓ）に対してパター本体（Ｐ）を揺動自在に軸支する蝶番軸（５）と、蝶番軸（５）に連結され前記パター本体（Ｐ）のパタートップライン部（１）に埋設されるアーム本体片（６）とで構成され、蝶番軸（５）にはスプリング（５ａ）が巻着されていてアーム本体片（６）に対しての予め回転張力が付与してあるスライド蝶番機構にて構成された請求項１又は２記載のゴルフパター。
【請求項４】
前記シャフト折畳みロック機構（３）は、前記固定アーム（４）に、前記パターシャフト（Ｓ）の前記シャフトネック基端部（２）を折曲自在に連結する回動軸（Ｋ）を軸着し、前記パターシャフト（Ｓ）を前記パター本体（Ｐ）のパターバックフエース部（Ｐ２）側に向けて折り畳むように構成した請求項２記載のゴルフパター。
【考案の詳細な説明】
【技術分野】
【０００１】
本考案は、近年慣性モーメント増大目的等でソール面積の大型化が進行している大型のパターヘッドを備えたゴルフパターの改良に関するものである。
【背景技術】
【０００２】
最近広く普及、使用されているパターは、マレット型などソール面積が大型になり、その取り扱い勝手が問題化している。例えば，クラブ収納バックに対する出し入れ時や、収納後に大型ヘッドがバック挿入開口部面積の相当部分を占拠するため、他のクラブのスムーズな出し入れを邪魔している。特に近来は、使用クラブを宅配便などで運搬する時や、保管時に当該ヘッド部分がクラブ収納バッグ周外に飛び出したり、さらに、バッグヘッドカバーやヘッド自身の損傷を招く欠点も生じたりしていた。
【先行技術文献】
【特許文献】
【０００３】
【特許文献１】特開２００６‐３４５号公報
【特許文献２】特許２８８４３２５号公報
【考案の概要】
【考案が解決しようとする課題】
【０００４】
従来の欠点を改善する目的で、例えば、ゴルフクラブを収納するゴルフバッグにおいて、クラブのバック出し入れに関し、数種の改良を目的としたゴルフバックとして、例えば、引用文献１、引用文献２などが提案されている。特許文献１はパタークラブを専用に収納する細円筒部をゴルフバッグ本体の側面に設け又は後付けし、プレー中や打ちっ放し練習場などで頻繁にクラブを取り替える必要のあるときにパタークラブをその細円筒部に退避・収納して、パタークラブ以外のクラブの出し入れに邪魔にならないようにしている。
【０００５】
又、特許文献２は、ゴルフバックのケーシング基盤に下部スリーブ取付け盤を介し、その長手方向の軸心を回転軸として回動自在に回動スリーブ部材を固定し、この回動スリーブ部材の外周に複数のゴルフクラブのシャフトを保持できる保持機構を設けたクラブ回動保持装置付きゴルフバックが提供されている。
【０００６】
さらに、特許第４１０２７９３号、特許第４１４６３８４号、特開昭６２‐２６０８５号、実開昭５４‐４５６６５、米国特許第０５４２９３５６号、同０６５２７６４９号、特開２０００‐０２４１４８号など、パターヘッドにおいて、シャフト基部をパターヘッドの上面クラウン部に対して、折り畳み角度を可能に構成した発明、考案が提案されている。
【０００７】
然し、これら公知の発明、考案は、いずれも、パッテングにおけるプレーヤーのパター本体に対するライ角の調整を目的としたものである。このように、パターヘッドに対しシャフトネック（シャフトの起立接合基部）の折り畳みライ角を調整する目的のパターは多く提案されている。
【０００８】
ところが、マレット型などソール面積が大型のパター自身に、クラブ収納バックに対する出し入れや時や、収納後に大型ヘッドがバック挿入開口部面積の相当部分を占拠するため、他のクラブのスムーヅな出し入れを邪魔していたり、使用クラブを宅配便などで運搬時や保管時に当該ヘッド部分がクラブ収納バッグ周外に飛び出し、バッグヘッドカバーやヘッド自身の損傷を招いたりする欠点を除去する発明、考案は未だ提供されていない。
【０００９】
そこで、本考案では、マレット型などソール面積が大型のゴルフパターにおいて、クラブの出し入れに邪魔にならないように折曲自在に構成したゴルフパターの提供を目的とするものである。
【課題を解決するための手段】
【００１０】
本考案の第１の手段は、マレット型などソール面積が大型のパター本体（Ｐ）とこのパター本体（Ｐ）に支承するパターシャフト（Ｓ）において、当該パター本体Ｐ上面のパタートップライン部（１）にシャフト折畳みロック機構（３）を設け、当該シャフト折畳みロック機構（３）にて、パターシャフト（Ｓ）のシャフトネック基端部（２）を、パター本体（Ｐ）のパターフエース部（Ｐ１）側に向けて折曲自在に支承したことにある。
【００１１】
第２の手段は、マレット型などソール面積が大型のパター本体（Ｐ）とこのパター本体（Ｐ）に支承するパターシャフト（Ｓ）において、当該パター本体（Ｐ）上面のパタートップライン部（１）にシャフト折畳みロック機構（３）を設け、当該シャフト折畳みロック機構（３）にて、パターシャフト（Ｓ）のシャフトネック基端部（２）を、パター本体（Ｐ）のパターバックフエース部（Ｐ２）側に向けて折曲自在に支承したことにある。
【００１２】
第３の手段において、前記シャフト折畳みロック機構（３）は、前記シャフトネック基端部（２）に連結する断面溝形状の断面溝形の固定アーム（４）と、固定アーム４の下部に設けられ、前記シャフト（Ｓ）に対してパター本体（Ｐ）を揺動自在に軸支する蝶番軸（５）と、蝶番軸（５）に連結され前記パター本体（Ｐ）のパタートップライン部（１）に埋設されるアーム本体片（６）とで構成され、蝶番軸（５）にはスプリング（５ａ）が巻着されていてアーム本体片（６）に対しての予め回転張力が付与してあるスライド蝶番機構にて構成されたものである。
【００１３】
第４の手段の前記シャフト折畳みロック機構（３）は、前記固定アーム（４）に、前記パターシャフト（Ｓ）の前記シャフトネック基端部（２）を折曲自在に連結する回動軸（Ｋ）を軸着し、前記パターシャフト（Ｓ）を前記パター本体（Ｐ）のパターバックフエース部（Ｐ２）側に向けて折り畳むように構成したことにある。
【００１４】
本考案による大要はマレット型などソール面積が大型化したパター本体（Ｐ）と、このパター本体（Ｐ）に支承するパターシャフト（Ｓ）において、当該大型パターのトップライン部（１）に、当該シャフトネック基端部（２）をパターシャフトの長軸方向に折曲自在に設けたシャフト折畳みロック機構（３）にて軸支させたことを特徴としたゴルフパターである。
【００１５】
すなわち、マレット型などソール面積が大型パターとこのパターに支承するパターシャフトにおいて、当該大型パター本体のトップライン部に、当該シャフトネック基端部をパターシャフトのフエース側を長軸方向に折曲自在に設けたシャフト折畳みロック手段にて軸支させたものである。又、必要に応じて当該パター本体のパタートップラインに沿ってパター本体のバックフエース側にパターシャフトを折曲可能にしたものである。
【００１６】
又、当該パター本体のパタートップライン部（１）に沿ってパター本体（Ｐ）のバックフエース側（Ｐ１）にパターシャフトを折曲可能にしたものである。
【考案の効果】
【００１７】
この考案によると、マレット型などソール面積が大型パターとこのパターに支承するパターシャフトにおいて、当該大型パターのトップライン部（上面部）に、シャフトネック基端部を折曲自在に設けたシャフト折畳みロック手段にて軸支することで、クラブの出し入れに邪魔にならないように構成することができる。
【００１８】
即ち、この考案のシャフト折畳みロック機構（３）のスライド蝶番状構成によれば、シャフトネック基端部（２）を接続する断面溝形の固定アーム（４）を設け、その下部に、前記パターシャフト（Ｓ）に対してパター本体（Ｐ）の上下方向の回動を付勢する蝶番軸（５）に連結するアーム本体片（６）を設けてあり、この蝶番軸（５）にはスプリング（５ａ）が巻着されていてアーム本体片（６）に対しての予め回転張力が付与してあると共に前記固定アーム（７）に端部を回動自在に軸ピン（８）で軸着した連結背片を設け、その他端部は前記パター本体（P）に埋設した取付けカップ（１０）の側壁部（１１）に軸着してあり、その他端部（１２）は、前記アーム本体片（６）の端部に揺動ピン（１２）に回動動自在に軸着してある。したがって、本考案ゴルフパター使用時において、大型のパター本体（Ｐ）でもパターシャフト（Ｓ）に確実に固定されており、パットの際にパター本体（Ｐ）がふらつくおそれはない。
【００１９】
前記の構成によるため、マレット型などソール面積が大型のパター自身に、クラブ収納バックに対する出し入れや時や、収納後に大型ヘッドがバック挿入開口部面積の相当部分を占拠することがなくなる。
【００２０】
又、ゴルフバックに収納されたウッドクラブやアイアン、パターなどのスムーズな出し入れを容易にし、クラブ同士を傷つけるおそれも解消できる。さらに、使用クラブを宅配便などで運搬時や保管時に、当該ヘッド部分がクラブ収納バッヘッドカバーの周外に内側からの押し出しや、飛び出したりする障害も防止でき、バッグヘッドカバーやヘッド自身の損傷を招く欠点を除去することができる。
【図面の簡単な説明】
【００２１】
【図１】本考案の一実施例を示す全体構成を示す分解斜視図である。
【図２】本考案の使用時の状態を示す要部斜視図である。
【図３】本考案の使用時の状態を示す要部断面図である。
【図４】本考案の折畳み状態を示す要部側面図である。
【図５】本考案の使用時から折り畳む状態を示す側面図である。
【図６】本考案の別の実施例を示す要部側面図である。
【考案を実施するための形態】
【００２２】
以下、本考案の実施例を説明する。マレット型などソール面積が大型化したパター本体（Ｐ）と、このパター本体（Ｐ）に支承するパターシャフト（Ｓ）において、当該大型パターのトップライン部（１）に、当該シャフトネック基端部（２）をパターシャフトの長軸方向に折曲自在に設けたシャフト折畳みロック機構（３）にて軸支させる。このシャフト折畳みロック機構（３）には、スライド蝶番機構を使用する。
【００２３】
そして、図４に示すように、パター本体（Ｐ）をパターのトップライン部（１）に、当該シャフトネック基端部（２）をパターシャフトの長軸方向に折曲自在に設けたシャフト折畳みロック機構（３）にて軸支させる。シャフト折畳みロック機構（３）のスライド蝶番状構成は、シャフトネック基端部（２）を接続する断面溝形の固定アーム（４）を設け、その下部に、前記シャフト（Ｓ）に対してパター本体（Ｐ）の回動を付勢する蝶番軸（５）に連結するアーム本体片（６）を設けたスライド蝶番機構である。この蝶番軸（５）にはスプリング（５ａ）が巻着されている（図３参照）。このため、アーム本体片（６）に対しての予め回転張力が付与しているので、図４に示すように、シャフト折り畳みロック機構（３）におけるパターシャフト（Ｓ）の折り畳みは、パター本体（Ｐ）のパターフエース部（Ｐ１）側に向けて折畳むことができる。
【００２４】
更に、別の実施例として、パター本体（Ｐ）のパターのパターバックフエース部Ｐ２側に向けてパターシャフトＳを折り畳むこともできる。これは、後述する図６に示すように、シャフト折畳みロック機構（３）の固定アーム（４）に、回動軸（Ｋ）を軸着した構造としたものである。この結果、前記実施例と異なる方向であるパター本体（Ｐ）のパターバックフエース部（Ｐ２）側に向けて折り畳むように構成することもできる。
【００２５】
パター本体（Ｐ）は、この近年慣性モーメント増大目的で、マレット型などソール面積が増大、大型化の進行に伴って製作したパター本体である。その素材としては、軟鉄、ステンレス鋼、チタン合金、アルミニウム合金、タングステン等である。パターシャフト（Ｓ）は、一般のシャフト素材、コンボジット素材、スチール・シャフト材料等で選択構成する。図１においてパターシャフト（Ｓ）はホーゼルを延設してシャフトネック基端部（２）として形成しているが、このパターシャフト（Ｓ）を延伸させてシャフトネック基端部（２）としてもよい。
【００２６】
符号（７）は前記固定アーム（４）に端部を回動自在に軸ピン（８）で軸着した連結背片であり、その一端部は前記パター本体（Ｐ）に埋設した取付けカップ（１０）の側壁部に軸着してあり、その他端部は、前記アーム本体片（６）の端部に揺動ピンにより回動動自在に軸着してある。（１１）は取付けカップ（１０）の両翼片、（１２）は取付けカップ（１０）の締め付けネジ、（１３）は固定アーム（４）にシャフトネック基端部（２）を固定する固定ネジである。
【００２７】
図４に示す実施例として、シャフト折り畳みロック機構（３）のシャフト折り畳みは、パター本体（Ｐ）のパターフエース部（Ｐ１）側に向けて折り畳んだ実施例を示している。また、図６に示すように、断面溝形の固定アーム（４）に対してパターシャフトの基部を折曲自在に軸着した回動軸（Ｋ）を使用した構造とし、前記実施例と異なる方向であるパター本体（Ｐ）のパターバックフエース部（Ｐ２）側に向けて折り畳むように構成することも可能である。
【００２８】
尚、パター本体（Ｐ）とシャフトネック基端部（２）との取り付け構成は、グーヅネックシャフトを示しているが、その他のストレートのものも含まれる。また、大型のパター本体（Ｐ）をパターシャフト（Ｓ）の長軸方向に向けて任意方向に折畳むように構成することも可能である。
【産業上の利用可能性】
【００２９】
本考案によるゴルフパターによれば、益々大型化するゴルフヘッドに対して、一般的ゴルファーによる需要は期待できると共に市販の数々の大型ヘッドカバーに適応使用が可能である。又、そのシャフトに対して大型ヘッドの折曲操作も簡単で、ゴルフ用品として産業上有用である。
【符号の説明】
【００３０】
Ｐ  パター本体
Ｐ１  パターフエース部
Ｐ２  パターバックフエース部
Ｓ  パターシャフト
Ｋ  回動軸
１  パタートップライン部
２  シャフトネック基端部
３  シャフト折畳みロック機構
４  固定アーム
５  蝶番軸
６  アーム本体片
７  連結背片
８  軸ピン
１０  取付けカップ
１１  両翼片
１２  締め付けネジ
１３  固定ネジ
【図１】
0003175975.tif 000003
【図２】
0003175975.tif 000004
【図３】
0003175975.tif 000005
【図４】
0003175975.tif 000006
【図５】
0003175975.tif 000007
【図６】
0003175975.tif 000008